(57)【要約】【課題】収納箱内の小部屋に収納した収納品のぐらつきを、緩衝材を用いることなく抑える。【解決手段】中仕切り１を、２つの縦仕切り板と１つの横仕切り板とを組み合わせた仕切り体２と、横仕切り板の上縁に連設された四角筒状の角筒体６とから構成する。箱７の封緘に伴い角筒体６が上から押圧されると、角筒体６は変形して箱７の奥行き方向前後に広がり、各小部屋８の収納品Ｂ１、Ｂ２を箱７の側壁７ａに押し付けるため、そのぐらつきが抑えられる。このように、中仕切り１自体に収納品Ｂ１、Ｂ２のぐらつきを抑える機能を持たせたので、別途緩衝材を要することなく、輸送中の振動や衝撃から保護することができる。また封緘と同時に収納品Ｂ１、Ｂ２は押し付け固定されるため、梱包作業が容易である。【選択図】図１
2008239171.tif 000002
【特許請求の範囲】
【請求項１】
単数の一方仕切りまたは複数の並列する一方仕切りと、これに直交する単数の他方仕切りまたは複数の並列する他方仕切りとからなって、収納箱の内部空間を複数の小部屋に区分けする仕切り体と、
この一方仕切りおよび他方仕切りの少なくとも一の上縁に沿って周面が連設された単数または複数の角筒体とから構成され、
この角筒体は、上からの押圧により、周面の各辺の折り曲げ角度が変化することで変形し、連設された一方または他方仕切りの両側に広がるように形成された収納箱の中仕切り。
【請求項２】
一枚のシート体の長手方向中央部を角筒状に折り曲げて上記角筒体とし、長手方向の両端を重ね合わせて上記角筒体の連設された一方または他方仕切りとした請求項１に記載の収納箱の中仕切り。
【請求項３】
上記角筒体の周面に、収納箱の収納品がはまり込む凹部を設けた請求項１または２に記載の収納箱の中仕切り。
【請求項４】
上記仕切り体の上縁部に、上からの押圧で広がった角筒体を受ける受け部を形成した請求項１から３のいずれかに記載の収納箱の中仕切り。
【発明の詳細な説明】
【技術分野】
【０００１】
この発明は、収納箱の内部空間を、複数の小部屋に区画するための中仕切りに関する。
【背景技術】
【０００２】
収納箱に収納品を複数詰める際には、収納品同士がぶつかり合わないように、図６のように、縦仕切り板１０ａと横仕切り板１０ｂを格子状に組み合わせてなる中仕切り１０で箱７の内部空間を区画し、区画してできた各小部屋８に収納品を1つずつ詰めることがよく行われている(特許文献１参照)。
【０００３】
ここで、図６のように、収納品がワインボトル等のいわゆるワレモノである場合には、輸送中の振動や衝撃から保護するために、中仕切り１０とワインボトルＢ１との隙間に緩衝材１１を詰めて、ワインボトルＢ１が小部屋８内でぐらつかないようにするのが通常である。
【０００４】
しかし、このように隙間に緩衝材１１を詰めるのは手間であり、また、緩衝材１１は通常使い捨てされるため、資源の無駄遣いでもあった。
【特許文献１】特開２０００−６９５３号公報
【発明の開示】
【発明が解決しようとする課題】
【０００５】
そこで、この発明の解決すべき課題は、収納箱内の小部屋に収納した収納品のぐらつきを、緩衝材を用いることなく抑えることである。
【課題を解決するための手段】
【０００６】
上記した課題を解決するため、この発明の中仕切りを、単数の一方仕切りまたは複数の並列する一方仕切りと、これに直交する単数の他方仕切りまたは複数の並列する他方仕切りとからなって、収納箱の内部空間を複数の小部屋に区分けする仕切り体と、この一方仕切りおよび他方仕切りの少なくとも一の上縁に沿って周面が連設された単数または複数の角筒体とから構成し、この角筒体を、上からの押圧により、周面の各辺の折り曲げ角度が変化することで変形し、連設された一方または他方仕切りの両側に広がるように形成したのである。
【０００７】
このように構成すると、収納箱を封緘すると、箱の蓋による押圧で角筒体がその連設された仕切りの両側に広がり、仕切りの両側に並列する各小部屋の収納品を広がり方向に押すため、小部屋と収納品との隙間が小さくなる。
そのため、別途緩衝材を要することなく収納品のぐらつきが抑えられ、輸送中の振動や衝撃から保護することができる。
また、箱の封緘と同時に収納品のぐらつきが抑えられるので、緩衝材を詰める場合と比較して、梱包作業の手間が減じられる。
【０００８】
なお、ここでいう角筒は、押圧により各辺の折り曲げ角度が変化可能であるものをいうため、折り曲げ角度が変化しない三角筒は除かれる。
また、仕切り体は、別体の一方仕切り板と他方仕切り板とを組み合わせて形成してもよいし、一枚の板状体を折り曲げ組み上げることで、一方仕切り板と他方仕切り板を形成してもよい。
【０００９】
一枚のシート体の長手方向中央部を角筒状に折り曲げて上記角筒体とし、長手方向の両端を重ね合わせて上記角筒体の連設された一方または他方仕切りとすると、上記したような変形可能な角筒体が連設された仕切りが簡単に作製でき、その製造コストも低廉である。
【００１０】
角筒体の周面に、収納箱の収納品がはまり込む凹部を設けると、収納品が凹部にはまり込んで横滑りしないため、確実にその広がり方向に押すことができる。
【００１１】
仕切り体の上縁部に、上からの押圧で広がった角筒体を受ける受け部を形成すると、収納箱の封緘時には、受け部は箱の蓋と協働して角筒体を上下から挟み込むため、箱の輸送中に衝撃等が加わった際の角筒体の変形が防がれる。
そのため、収納品を広がり方向に押した状態が維持され、ぐらつきの抑制に万全を期すことができる。
【発明の効果】
【００１２】
収納箱の封緘に連動して広がり、各小部屋の収納品をその広がり方向に押す角筒体を中仕切りに設けたので、別途緩衝材を要することなく、収納品の小部屋内でのぐらつきが抑えられる。
【発明を実施するための最良の形態】
【００１３】
図1から図５に示す段ボール製の中仕切り１は、仕切り体２と、仕切り体２の上方に連設された角筒体６とから構成される。
この中仕切り１は、収納箱７に入れて用いられ、仕切り体２は、収納箱７の内部空間を複数の小部屋８に区画し、各小部屋８に収納品を１つずつ収納可能とする。
また、角筒体６は、後述するように収納箱７の封緘と連動して変形し、小部屋８内の収納品を収納箱７の側壁７ａに押し付けることで、収納品が輸送中などに動かないようにする。
【００１４】
図１から図４のように、仕切り体２は、収納箱７の内部空間を間口方向(端壁７ｂ間方向)に仕切る２つの縦仕切り板３と、箱７の空間を奥行き方向(側壁７ａ間方向)に仕切る１つの横仕切り板４とを格子状に組み合わせた、いわゆる組仕切りである。
中仕切り１を箱７に入れた場合には、図１のように、この仕切り体２により、箱７の内部空間は、奥行き方向２列、間口方向３列の合計６つの相似形の小部屋８に区画される。
【００１５】
図１から図３のように、収納箱７の奥行き方向前列の各小部屋８には、ボトルネックの短いワインボトルＢ１が１つずつ収納され、奥行き方向後列の小部屋８には、ボトルネックの長いワインボトルＢ２が１つずつ収納されている。
【００１６】
ここで、図４のように、所定の間隔をおいて並列する縦仕切り板３の下縁同士は、連結板５により連結されており、両縦仕切り板３の上縁部は、Ｖ字型に切り欠かれて受け部３ａが形成され、この受け部３ａのＶ字の底からは、下縁に向かってスリット３ｂが延びている。
【００１７】
これら縦仕切り板３と連結板５とは、図５(ａ)のような、一枚の細長い段ボールシートＳ１からなり、その長手方向の中央部を連結板５とし、長手方向の両端部を各縦仕切り板３とし、図中実線で示す折れ線でコの字型に折り曲げることにより組み立てられる。
【００１８】
また、図４のように、横仕切り板４の上縁には、角筒体６が連結されており、横仕切り板４の下縁からは、上縁に向かってスリット４ａが並列して延びており、この二つのスリット４ａと、各縦仕切り板３のスリット３ｂとの相互差込で仕切り体２は組み立てられている。
【００１９】
一方、図１から図４のように、角筒体６の周面は、四つの相似形の胴板６ａを辺を介して筒状に連結することで形成され、これにより角筒体６は、四角筒状の外観を呈している。
そして、この四角筒の一辺が、横仕切り板４の上縁に連結されており、角筒体６は、その軸心線が箱７の間口方向と一致している。
【００２０】
これら角筒体６と横仕切り板４とは、図５(ｂ)のような、一枚の細長い段ボールシートＳ２からなり、その長手方向の中央部を図中実線で示す折れ線で四角筒状に折り曲げることで角筒体６が組み立てられ、長手方向の両端部同士を、重ね合わせることで横仕切り板４が組み立てられる。
【００２１】
ここで、図５(ｂ)のように、この段ボールシートＳ２の角筒体６の形成部分の折れ線を跨いで、円形の貫通孔６ｂが並列している。
そのため、これを折り曲げて組み立てると、図１から図３のように、角筒体６の収納箱７の各小部屋８の上方に臨む位置には、この円形の貫通孔６ｂが折れ線で折り曲げられることにより、周面には凹部６ｂが形成される。
【００２２】
上述のように、角筒体６は段ボールシートＳ２を折り曲げてなるため、隣接する胴板６ａ間の辺の部分は、その折り曲げ角度が弾性的に変化可能となっている。
そのため、例えば、箱７の間口方向の両側から角筒体６を押圧すると、箱７の上下方向に長い縦長四角筒に弾性的に変形し、箱７の上方から角筒体６を押圧すると、箱７の奥行き方向に長い横長四角筒に弾性的に変形する。
【００２３】
このように角筒体６は変形可能であるから、図１(ａ)、図２(ａ)、図３(ａ)のように、箱７の小部屋８にワインボトルＢ１、Ｂ２を収納する際または取り出す際には、角筒体６を縦長四角筒に変形させて収納や取り出しの邪魔にならないようにしておくとよい。
【００２４】
中仕切り１の構成は以上のようであり、次に、この中仕切り１の、箱７の封緘に伴う動作について説明する。
【００２５】
まず、収納箱７を封緘する前の状態では、図１(ａ)、図２(ａ)、図３(ａ)のように、角筒体６は箱７の奥行き方向前列のワインボトルＢ１のボトルネックと、後列のワインボトルＢ２のボトルネックの間に挟みこまれている。
【００２６】
ここで、図１(ｂ)、図２(ｂ)、図３(ｂ)のように、収納箱７の蓋７ｃを閉じると、角筒体６は蓋７ｃで上から押さえつけられることで、横長四角筒に弾性的に変形し、箱７の上下方向に縮まり、奥行き方向の前後に広がる。
【００２７】
このように、角筒体６が箱７の奥行き方向に広がることにより、図示のように、ワインボトルＢ１、Ｂ２のボトルネックの部分は、角筒体６の凹部６ｂにはまり込み、さらに、ワインボトルＢ１、Ｂ２は角筒体６の広がる方向に押されてゆく。
【００２８】
これにより、ワインボトルＢ１は収納箱７の手前の側壁７ａ方向に傾き、ワインボトルＢ２は収納箱７の奥の側壁７ａ方向に傾くことで、それぞれ、その胴が箱７の側壁７ａに押し付けられる。
こうして、図１(ｂ)、図２(ｂ)、図３(ｂ)のように、箱７の封緘と同時に、ワインボトルＢ１、Ｂ２は小部屋８内でぐらつかないように固定される。
そのため、箱７の隙間に従来のような緩衝材１１を詰めなくとも、ワインボトルＢ１、Ｂ２が輸送中に動いて破損することは無いため、包装資材を削減でき、また梱包作業も楽である。
【００２９】
ここでボトルネックが凹部６ｂにはまり込んでいるため、ワインボトルＢ１、Ｂ２は箱７の間口方向に横滑り等せず、確実に側壁７ａ側に押し付けられる。
特にこの例のように、ワインボトルＢ１、Ｂ２のボトルネックの長さがまちまちな場合には横滑り等が起こりやすいが、この例のように、凹部６ｂがあればボトルネックはその長さを問わずこれにはまり込むため、そのような心配がない。
【００３０】
また、図１(ｂ)、図２(ｂ)、図３(ｂ)のように、箱７を封緘した状態で角筒体６は受け部３ａに支持されるため、角筒体６は蓋７ｃと受け部３ａに上下から挟み込まれて固定される。
そのため、箱７に輸送中に衝撃等が加わっても角筒体６は変形せず、ワインボトルＢ１、Ｂ２の側壁７ａへの押し付け状態が良好に維持される。
【００３１】
なお、箱７を開封すると、角筒体６は、蓋７ｃからの押圧から開放されるため、縦方向に伸びた状態に弾性的に復元する。
これにより、箱７の開封と同時にワインボトルＢ１、Ｂ２の側壁７ａへの押し付けは解除されるため、その取り出しが容易となる。
【００３２】
この中仕切り１は、縦仕切り板３および連結板５を構成する段ボールシートＳ１と、横仕切り板４および角筒体６を構成する段ボールシートＳ２の２枚の段ボールシートを組み立てて組み合わせることで形成されているため、作製が容易であり、安価でもある。
【００３３】
この例では、角筒体６が、ワインボトルＢ１、Ｂ２を箱７の側壁７ａに押し付けるまで押すように構成しているが、これに限られず、角筒体６が、ワインボトルＢ１、Ｂ２を箱７の側壁７ａに近づく向きに押す構成であるならばよい。
そのようにすれば、側壁７ａとワインボトルＢ１、Ｂ２との隙間が小さくなるため、ぐらつき抑制の効果を奏することができる。
【００３４】
また、この例では、角筒体６の連結された横仕切り板４の両側に小部屋８が３つずつ並列しているが、縦仕切り板３の数を増やすことで並列する小部屋８の数を適宜変更可能である。
勿論、横仕切り板４も箱７の奥行き方向に複数並列させてもよく、その場合、複数の横仕切り板４に角筒体６を連設してもよい。
これにより、各角筒体６の両側に並列する各小部屋８内のワインボトルＢ１、Ｂ２は、その角筒体６に押されてぐらつきが防止されるが、この場合、隣接する角筒体６同士が干渉しないように、一つ置きの横仕切り板４に連結するなどすることが好ましい。
【００３５】
また、角筒体６は、横仕切り板４だけでなく、縦仕切り板３にも連結してもよい。
この場合、縦仕切り板３に連結された角筒体６は、箱７の封緘時には箱７の間口方向に広がり、ワインボトルＢ１、Ｂ２は、箱７の端壁７ｂ方向に傾いて押し付けられることになる。
このように縦横仕切り板３、４の双方に角筒体６を連結する場合にも、各角筒体６は、互いの干渉を避けるように配置するのが好ましい。
【００３６】
この例では、仕切り体２を縦仕切り板３および横仕切り板４から構成し、箱７の内部空間を縦横に格子状に区画しているが、区画の方向はこれに限定されず、例えば、仕切り体２を箱７の内部空間を斜めに仕切る一方仕切りと、一方仕切りに直交する方向に仕切る他方仕切りとから構成し、内部空間を斜め格子状に区画してもよい。
この場合、ワインボトルＢ１、Ｂ２は箱７の斜め方向に押されて、近接する側壁７ａまたは端壁７ｂに押し付けられることになる。
【００３７】
また、この例では、角筒体６を四角筒状にしているが、三角筒以外の角筒であればよく、例えば六角筒でもよい。
この場合、受け部３ａの形状を角筒の形状に適宜対応させるのが好ましい。
【００３８】
なお、仕切り体２は、複数枚の段ボールシートＳ１、Ｓ２から組み立ててなる組仕切りでなくともよく、例えば一枚の段ボールシートから縦仕切りと横仕切りを組み上げたものでもよい。
また、縦仕切り板３や横仕切り板４と角筒体６とは、別体のものを接着等により一体化してもよい。
角筒体６は、別体の複数の胴板６ａを貼り合わせることにより形成してもよい。
【００３９】
なお、この中仕切り１を用いた箱７の収納品は、勿論、ワインボトルＢ１、Ｂ２に限定されることはなく、他のビン製品、陶器等でもよく、その場合には、凹部６ｂの形状は適宜収納品の形状に対応させるのが好ましい。
また、中仕切り１の材質は、段ボールシートＳ１、Ｓ２に限定されず、厚紙、プラスチック段ボールなど他のシート製品でもよい。
【図面の簡単な説明】
【００４０】
【図１】実施形態の中仕切りを用いて収納箱にワインボトルを区画収納した際の、(ａ)は箱の開封時の状態を示す斜視図、(ｂ)は箱の封緘途中の状態を示す斜視図
【図２】中仕切りの、(ａ)は収納箱の開封時の状態を示す斜視図、(ｂ)は収納箱の封緘時の状態を示す斜視図
【図３】中仕切りを用いて収納箱にワインボトルを区画収納した際の、(ａ)は開封時の状態を示す断面図、(ｂ)は封緘途中の状態を示す断面図
【図４】収納箱および中仕切りの分解斜視図
【図５】中仕切りの展開図
【図６】従来の中仕切りを用いて収納箱にワインボトルを区画収納した状態を示す斜視図
【符号の説明】
【００４１】
１  実施形態の中仕切り
２  仕切り体
３  縦仕切り板
３ａ  受け部
３ｂ  スリット
４  横仕切り板
４ａ  スリット
５  連結板
６  角筒体
６ａ  胴板
６ｂ  凹部(貫通孔)
７  収納箱
７ａ  側壁
７ｂ  端壁
７ｃ  蓋
８  小部屋
１０  従来の中仕切り
１０ａ  縦仕切り板
１０ｂ  横仕切り板
１１    緩衝材
Ｂ１、Ｂ２  ワインボトル
Ｓ１、Ｓ２  段ボールシート
【図１】
2008239171.tif 000003
【図２】
2008239171.tif 000004
【図３】
2008239171.tif 000005
【図４】
2008239171.tif 000006
【図５】
2008239171.tif 000007
【図６】
2008239171.tif 000008